(57)【要約】【課題】グランドパターンを有する回路基板とは別に静電気対策用の専用の部材を設けることなく、静電気が光源としての発光素子に到達することを抑制することが可能な表示装置を提供する。【解決手段】このテレビジョン装置１（表示装置）は、光源からの光を外部に導くための導光用孔部３１７を含む枠状のフロントキャビネット１１と、枠状のフロントキャビネット１１から露出するように配置された表示領域を有する表示部６１と、フロントキャビネット１１の内面に取り付けられ、フロントキャビネット１１の内面側の表面にグランドパターン３１７を有する操作用基板３１と、操作用基板３１に取り付けられ、前方から見て操作用基板３１のグランドパターン３１７よりも奥まった位置に配置された光源としてのＬＥＤ３１２とを備える。【選択図】図２
2013090111.tif 000002
【特許請求の範囲】
【請求項１】
光源からの光を外部に導くための導光用孔部を含む枠状の前側筺体と、
前記枠状の前側筺体から露出するように配置された表示領域を有する表示部と、
前記前側筺体の内面に取り付けられ、前記前側筺体の内面側の表面にグランドパターンを有する基板と、
前記基板に取り付けられ、前方から見て前記基板のグランドパターンよりも奥まった位置に配置された前記光源としての発光素子とを備えた、表示装置。
【請求項２】
前記グランドパターンは、前方から見て、前記前側筺体の導光用孔部内に露出するように前記基板の表面に設けられている、請求項１に記載の表示装置。
【請求項３】
前記前側筺体の導光用孔部内に露出された前記グランドパターンは、前方から見て、前記発光素子を周状に取り囲むように前記基板の表面に設けられている、請求項２に記載の表示装置。
【請求項４】
前記基板は、前記基板のグランドパターンが前記前側筺体の前記導光用孔部の前記基板側の開口縁部に隙間なく当接するように前記前側筺体に取り付けられている、請求項１〜３のいずれか１項に記載の表示装置。
【請求項５】
前記基板は、前記発光素子が配置される発光素子配置用孔部を含み、
前記基板の前記発光素子配置用孔部の開口縁部近傍の表面には、前記発光素子配置用孔部の開口縁部に沿って周状に前記グランドパターンが設けられており、
前記発光素子は、前記基板の発光素子配置用孔部の内部で、かつ、前方から見て前記基板のグランドパターンよりも奥まった位置に配置されている、請求項１〜４のいずれか１項に記載の表示装置。
【請求項６】
前記発光素子配置用孔部の前記前側筺体側の開口縁部は、前方から見て前記導光用孔部の前記基板側の開口縁部よりも内側に設けられ、
前記発光素子配置用孔部の前記前側筺体側の開口縁部と前記導光用孔部の前記基板側の開口縁部との間の領域における前記基板の表面には、前記グランドパターンが設けられている、請求項５に記載の表示装置。
【請求項７】
前記発光素子は、発光素子本体部と基板取付部とを有し、
前記発光素子本体部が前記発光素子配置用孔部に配置された状態で、前記発光素子の基板取付部が前記基板の前記前側筺体とは反対側の面に取り付けられている、請求項５または６に記載の表示装置。
【請求項８】
前記前側筺体の導光用孔部は、略円錐台形状を有しており、
略円錐台形状の前記導光用孔部の小さい方の開口縁部が前記基板に当接するとともに、前記略円錐台形状の導光用孔部の小さい方の開口縁部の内側に前記基板のグランドパターンが露出されている、請求項１〜７のいずれか１項に記載の表示装置。
【請求項９】
前記前側筺体は、前記前側筺体の外面側の前記導光用孔部の開口縁部よりも小さい内径の開口縁部を有する化粧板孔部が形成された化粧板を含み、
前記化粧板は、前記化粧板孔部が前記前側筺体の導光用孔部に重なるように、前記前側筺体の前側に取り付けられている、請求項１〜８のいずれか１項に記載の表示装置。
【請求項１０】
前記表示部の後側には、金属製のリアフレームが設けられており、
前記グランドパターンは、前記リアフレームに電気的に接続されている、請求項１〜９のいずれか１項に記載の表示装置。
【請求項１１】
前記基板に配置された前記発光素子の近傍には、複数の静電容量スイッチが設けられており、
前記導光用孔部は、前方から見て、前記発光素子および前記グランドパターンを露出させるとともに前記静電容量スイッチを露出させない前記前側筺体の位置に設けられている、請求項１〜１０のいずれか１項に記載の表示装置。
【請求項１２】
テレビジョン放送を受信可能な受信部と、
光源からの光を外部に導くための導光用孔部を含む枠状の前側筺体と、
前記枠状の前記前側筺体から露出するように配置された表示領域を有する表示部と、
前記前側筺体の内面に取り付けられ、前記前側筺体の内面側の表面にグランドパターンを有する基板と、
前記基板に取り付けられ、前方から見て前記基板のグランドパターンよりも奥まった位置に配置された前記光源としての発光素子とを備えた、テレビジョン装置。
【発明の詳細な説明】
【技術分野】
【０００１】
この発明は、表示装置およびテレビジョン装置に関し、特に、光源が設けられた表示装置およびテレビジョン装置に関する。
【背景技術】
【０００２】
従来、光源が設けられた押圧スイッチが知られている（たとえば、特許文献１参照）。
【０００３】
上記特許文献１には、キートップ本体の内面に取り付けられ、キートップ本体の内面側の表面に第２アース基板（グランドパターン）を有する回路基板（基板）と、回路基板に取り付けられ、回路基板の第２アース基板よりも前方（キートップ本体側）に突出するように配置された光源としての発光素子とを備える押圧スイッチが開示されている。この押圧スイッチでは、発光素子の前方に延びるように形成された静電気対策用の金属製のアース板を設け、アース板を第２アース基板に取り付けることにより、前方側から侵入する静電気を発光素子の前方に延びるアース板に落として第２アース基板（グランドパターン）に逃すことによって光源としての発光素子に静電気が到達することを抑制している。
【先行技術文献】
【特許文献】
【０００４】
【特許文献１】特開２００７−１４１５０３号公報
【発明の概要】
【発明が解決しようとする課題】
【０００５】
しかしながら、上記特許文献１の押圧スイッチでは、前方側から侵入する静電気を発光素子の前方に延びるアース板に落として発光素子に静電気が到達することを抑制しているので、グランドパターンを有する回路基板とは別に静電気対策用の専用のアース板を設ける必要があるという不都合がある。このため、上記特許文献１に記載の押圧スイッチを表示装置に適用した場合でも、光源としての発光素子に静電気が到達することを抑制するためにグランドパターンを有する回路基板とは別に静電気対策用の専用のアース板を設ける必要があるという問題点がある。
【０００６】
この発明は、上記のような課題を解決するためになされたものであり、この発明の１つの目的は、グランドパターンを有する回路基板とは別に静電気対策用の専用の部材を設けることなく、静電気が光源としての発光素子に到達することを抑制することが可能な表示装置およびテレビジョン装置を提供することである。
【課題を解決するための手段】
【０００７】
この発明の第１の局面による表示装置は、光源からの光を外部に導くための導光用孔部を含む枠状の前側筺体と、枠状の前側筺体から露出するように配置された表示領域を有する表示部と、前側筺体の内面に取り付けられ、前側筺体の内面側の表面にグランドパターンを有する基板と、基板に取り付けられ、前方から見て基板のグランドパターンよりも奥まった位置に配置された光源としての発光素子とを備える。
【０００８】
この上記第１の局面による表示装置では、上記のように、基板に取り付けられ、前方から見て基板のグランドパターンよりも奥まった位置に配置された光源としての発光素子を設けることによって、前側筺体の導光用孔部から表示装置内部に侵入する静電気を、発光素子に到達する前に発光素子の前方に設けられたグランドパターンに直接落とす（除去する）ことができる。これにより、グランドパターンを有する基板とは別に静電気対策用の専用の部材を設けることなく、静電気が光源としての発光素子に到達することを抑制することができる。
【０００９】
上記第１の局面による表示装置において、好ましくは、グランドパターンは、前方から見て、前側筺体の導光用孔部内に露出するように基板の表面に設けられている。このように構成すれば、導光用孔部を介して侵入する静電気を容易に直接グランドパターンに落とす（除去する）ことができる。
【００１０】
この場合、好ましくは、前側筺体の導光用孔部内に露出されたグランドパターンは、前方から見て、発光素子を周状に取り囲むように基板の表面に設けられている。このように構成すれば、発光素子の周囲のどの方向から静電気が侵入したとしても、発光素子を周状に取り囲むように設けられたグランドパターンにより静電気を落とす（除去する）ことができるので、静電気が光源としての発光素子に到達することを効果的に抑制することができる。
【００１１】
上記第１の局面による表示装置において、好ましくは、基板は、基板のグランドパターンが前側筺体の導光用孔部の基板側の開口縁部に隙間なく当接するように前側筺体に取り付けられている。このように構成すれば、静電気が基板のグランドパターンと前側筺体の導光用孔部の基板側の開口縁部との隙間から表示装置内部に侵入するのを防止することができるので、より効果的に静電気が発光素子に到達することを抑制することができる。
【００１２】
上記第１の局面による表示装置において、好ましくは、基板は、発光素子が配置される発光素子配置用孔部を含み、基板の発光素子配置用孔部の開口縁部近傍の表面には、発光素子配置用孔部の開口縁部に沿って周状にグランドパターンが設けられており、発光素子は、基板の発光素子配置用孔部の内部で、かつ、前方から見て基板のグランドパターンよりも奥まった位置に配置されている。このように構成すれば、開口縁部に沿って周状にグランドパターンが設けられた発光素子配置用孔部の内部に発光素子を配置するだけで、容易にグランドパターンよりも奥まった位置に発光素子を配置することができる。
【００１３】
この場合、好ましくは、発光素子配置用孔部の前側筺体側の開口縁部は、前方から見て導光用孔部の基板側の開口縁部よりも内側に設けられ、発光素子配置用孔部の前側筺体側の開口縁部と導光用孔部の基板側の開口縁部との間の領域における基板の表面には、グランドパターンが設けられている。このように構成すれば、導光用孔部の基板側の開口縁部と、発光素子配置用孔部の前側筺体側の開口縁部との開口縁部の大きさの違いを利用して、基板の発光素子配置用孔部の開口縁部に沿った周状のグランドパターンを容易に露出させて形成することができる。
【００１４】
上記基板が発光素子配置用孔部を含む構成において、好ましくは、発光素子は、発光素子本体部と基板取付部とを有し、発光素子本体部が発光素子配置用孔部に配置された状態で、発光素子の基板取付部が基板の前側筺体とは反対側の面に取り付けられている。このように構成すれば、発光素子の基板取付部を基板の前側筺体とは反対側の面に取り付けるだけで、容易に、発光素子を基板の発光素子配置用孔部の内部で、かつ、基板のグランドパターンよりも奥まった位置に配置することができる。
【００１５】
上記第１の局面による表示装置において、好ましくは、前側筺体の導光用孔部は、略円錐台形状を有しており、略円錐台形状の導光用孔部の小さい方の開口縁部が基板に当接するとともに、略円錐台形状の導光用孔部の小さい方の開口縁部の内側に基板のグランドパターンが露出されている。このように構成すれば、静電気の侵入経路となる導光用孔部が静電気の侵入方向に沿って徐々に小さくなるので、静電気が到達する領域を絞り込むことができる。その結果、小さいグランドパターンでも静電気を効率よく落とすことができる。
【００１６】
上記第１の局面による表示装置において、好ましくは、前側筺体は、前側筺体の外面側の導光用孔部の開口縁部よりも小さい内径の開口縁部を有する化粧板孔部が形成された化粧板を含み、化粧板は、化粧板孔部が前側筺体の導光用孔部に重なるように、前側筺体の前側に取り付けられている。このように構成すれば、化粧板が前側筺体の前側に対して位置ずれした状態で取り付けられた場合でも、化粧板孔部と導光用孔部とが互いに重なる位置に配置され易くなるので、容易に化粧板孔部を介して外部に光を放出することができる。
【００１７】
上記第１の局面による表示装置において、好ましくは、表示部の後側には、金属製のリアフレームが設けられており、グランドパターンは、リアフレームに電気的に接続されている。このように構成すれば、基板のグランドパターンに落ちた静電気を大きい面積を有するリアフレームに逃がして静電気が基板に残留するのを防止することができる。
【００１８】
上記第１の局面による表示装置において、好ましくは、基板に配置された発光素子の近傍には、複数の静電容量スイッチが設けられており、導光用孔部は、前方から見て、発光素子およびグランドパターンを露出させるとともに静電容量スイッチを露出させない前側筺体の位置に設けられている。このように構成すれば、基板に配置された発光素子の近傍に静電容量スイッチを設けた場合でも、導光用孔部を介して侵入する静電気がグランドパターンに落とされて直接静電容量スイッチに到達することを抑制することができる。このように本発明では、基板の前方に静電気対策用のためのアース板等を設けることなく、発光素子および静電容量スイッチに静電気が到達するのを抑制することができるので、静電容量スイッチを前側筺体の内面に直接当接させることができ、その結果、静電容量スイッチを適切に動作させることができる。
【００１９】
この発明の第２の局面によるテレビジョン装置は、テレビジョン放送を受信可能な受信部と、光源からの光を外部に導くための導光用孔部を含む枠状の前側筺体と、枠状の前側筺体から露出するように配置された表示領域を有する表示部と、前側筺体の内面に取り付けられ、前側筺体の内面側の表面にグランドパターンを有する基板と、基板に取り付けられ、前方から見て基板のグランドパターンよりも奥まった位置に配置された光源としての発光素子とを備える。
【００２０】
この上記第２の局面によるテレにジョン装置では、上記のように、基板に取り付けられ、前方から見て基板のグランドパターンよりも奥まった位置に配置された光源としての発光素子を設けることによって、前側筺体の導光用孔部から表示装置内部に侵入する静電気を、発光素子に到達する前に発光素子の前方に設けられたグランドパターンに直接落とす（除去する）ことができる。これにより、グランドパターンを有する基板とは別に静電気対策用の専用の部材を設けることなく、静電気が光源としての発光素子に到達することを抑制することができる。
【発明の効果】
【００２１】
本発明によれば、上記のように、静電気対策用の専用の部材を別途設けることなく、静電気が光源としての発光素子に到達することを抑制することができる。
【図面の簡単な説明】
【００２２】
【図１】本発明の一実施形態によるテレビジョン装置の前方から見た図である。
【図２】本発明の一実施形態によるテレビジョン装置の全体構成を示した分解斜視図である。
【図３】本発明の一実施形態によるテレビジョン装置のフロントキャビネットの後側の下部を拡大した図である。
【図４】本発明の一実施形態によるテレビジョン装置の化粧板を示した図である。
【図５】本発明の一実施形態によるテレビジョン装置の操作用基板を示した図である。
【図６】本発明の一実施形態によるテレビジョン装置の静電気を逃がす経路を説明するための図である。
【図７】本発明の一実施形態によるテレビジョン装置の基板固定部材のフロントキャビネット側を示した図である。
【図８】本発明の一実施形態によるテレビジョン装置の基板固定部材のフロントキャビネット側の反対側を示した図である。
【図９】本発明の一実施形態によるテレビジョン装置のフロントキャビネットに操作用基板を取り付けた状態の図である。
【図１０】本発明の一実施形態によるテレビジョン装置のフロントキャビネットに操作用基板と基板固定部材とを取り付けた状態の図である。
【図１１】本発明の一実施形態によるテレビジョン装置のフロントキャビネットのＬＥＤ露出用孔をテレビジョン装置の前方から見た図である。
【図１２】図１０の１００−１００線に沿った断面図である。
【図１３】図１０の２００−２００線に沿った断面図である。
【発明を実施するための形態】
【００２３】
以下、本発明の実施形態を図面に基づいて説明する。
【００２４】
図１〜図１３を参照して、本発明の一実施形態によるテレビジョン装置１の構成について説明する。なお、テレビジョン装置１は、本発明の「表示装置」の一例である。
【００２５】
本発明の一実施形態によるテレビジョン装置１は、図１に示すように、フロントキャビネット１１をテレビジョン装置１の前側（Ｙ１方向側）に備えている。また、フロントキャビネット１１の前側には、化粧板２１が取り付けられている。また、フロントキャビネット１１の後側（Ｙ２方向側）の下部には、図２に示すように、操作用基板３１と、操作用基板３１に取り付けられる板金４１と、基板固定部材５１とが取り付けられている。また、フロントキャビネット１１の後側には、表示装置本体６１が設けられている。表示装置本体６１は、フロントキャビネット１１から露出されるように配置された表示領域を有する表示部６２と、回路基板６３ａおよび６３ｂと、スタンド取付部材６４とを含んでいる。また、表示装置本体６１の後側には、カバー部材６５が取り付けられている。また、スタンド部材７１が、下側（Ｚ２方向側）からテレビジョン装置１のスタンド取付部材６４に取り付けられている。なお、フロントキャビネット１１は、本発明の「前側筺体」の一例である。また、操作用基板３１は、本発明の「基板」の一例である。
【００２６】
フロントキャビネット１１は、図１に示すように、前面視において枠状の略矩形形状（横長の長方形形状）に形成されている。また、フロントキャビネット１１は、ポリスチレン等の樹脂で形成されている。フロントキャビネット１１の下部には、化粧板２１が取り付け可能に構成されている。
【００２７】
ここで、本実施形態では、フロントキャビネット１１には、図３に示すように、後述するＬＥＤ３１２から照射された光をテレビジョン装置１の外部へ導く導光用孔部１１１と、後述する照度センサ３１３およびＩＲ受光部３１４に光を取り込むための採光用孔部１１６とが設けられている。また、フロントキャビネット１１の内側（後面）には、基板固定部材５１をフロントキャビネット１１に固定する２つの取付部１１２および１１３と、操作用基板３１に取り付ける板金４１（図２参照）を位置決めする機能を有するボス１１４と、操作用基板３１を位置決めする複数の位置決め部１１５とが設けられている。
【００２８】
導光用孔部１１１は、フロントキャビネット１１の下部のＸ方向の略中央に設けられている。また、導光用孔部１１１は、ＬＥＤ３１２を露出させるとともに静電容量スイッチ３１１を露出させない位置（図１１参照）に設けられている。また、導光用孔部１１１は、略円錐台形状（図１２参照）を有している。フロントキャビネット１１の導光用孔部１１１は、２つの取付部１１２および１１３の間に設けられている。また、略円錐台形状の導光用孔部１１１の大きいほうの開口縁部１１１ａ（図１１参照）は、フロントキャビネット１１の前側（Ｙ１方向側）に形成されている。また、略円錐台形状の導光用孔部１１１の小さいほうの開口縁部１１１ｂは、フロントキャビネット１１の後側（Ｙ２方向側）に形成されている。また、導光用孔部１１１の開口縁部１１１ｂは、操作用基板３１のグランドパターン３１７（図１２参照）に隙間なく当接するように構成されている。また、図１１および図１２に示すように、導光用孔部１１１の開口縁部１１１ｂの内側にグランドパターン３１７が露出するように構成されている。
【００２９】
また、２つの取付部１１２および１１３は、図３に示すように、フロントキャビネット１１の内側（Ｙ２方向側）の下部の中央付近に設けられている。２つの取付部１１２および１１３は、互いに所定の間隔を隔てて配置されている。また、Ｘ２方向側の取付部１１２には、操作用基板３１をフロントキャビネット１１の左右方向（Ｘ方向）に対して位置決めを行う位置決め部１１２ａと、基板固定部材５１のフック５１２が係合されるフック係合部１１２ｂと、基板固定部材５１をネジ５１３ｂ（図２参照）により取付部１１２に固定するためのネジ孔１１２ｃとが設けられている。また、位置決め部１１２ａは、２つの取付部１１２および１１３が互いに対向する方向に突出するように設けられている。また、位置決め部１１２ａは、Ｙ方向に延びる直線状のリブにより形成されている。また、Ｘ１方向側の取付部１１３には、基板固定部材５１のフック５１２が係合されるフック係合部１１３ａと、基板固定部材５１をネジ５１３ｂにより取付部１１３に固定するためのネジ孔１１３ｂとが設けられている。
【００３０】
また、フック係合部１１２ｂおよび１１３ａは、図３に示すように、それぞれ、取付部１１２のネジ孔１１２ｃおよび取付部１１３のネジ孔１１３ｂよりもＸ方向の外側の位置に設けられている。また、フック係合部１１２ｂおよび１１３ａは、基板固定部材５１のフック５１２に係合する形状に形成されている。
【００３１】
フロントキャビネット１１の前側（Ｙ１方向側）の下部には、図１に示すように、化粧板２１が取り付けられている。また、化粧板２１は、光を透過可能に構成されている。化粧板２１の前側（Ｙ１方向側）には、複数の静電容量スイッチ３１１に対応する、音量（下げる）、音量（上げる）、メニュー、ソース、チャネル（下げる）、チャネル（上げる）、および、電源に関する操作部分２１１が設けられている。
【００３２】
また、化粧板２１のＸ方向の略中心部分には、図４に示すように、後述するＬＥＤ３１２から照射された光をテレビジョン装置１の外部へ導く化粧板孔部２１２が設けられている。また、化粧板孔部２１２は、フロントキャビネット１１の外面（Ｙ１方向側）の導光用孔部１１１の開口縁部１１１ａ（図１１参照）よりも小さい内径を有するように構成されている。また、化粧板２１は、化粧板孔部２１２がフロントキャビネット１１の導光用孔部１１１に重なるようにフロントキャビネット１１の前側（Ｙ１方向側）に取り付けられている。また、化粧板２１は、フロントキャビネット１１の下部の形状に対応するように形成されている。また、化粧板２１は、樹脂成型により形成されている。また、化粧板２１は、図示しない両面テープによりフロントキャビネット１１の下部に取り付けられている。
【００３３】
操作用基板３１には、図５に示すように、静電容量の変化を検出可能な７つの静電容量スイッチ３１１と、テレビジョン装置１の電源状態を示すＬＥＤ３１２と、テレビジョン装置１の設置場所の明るさを検出する照度センサ３１３と、リモコンからの発信されたＩＲ信号を受信するＩＲ受光部３１４と、ＬＥＤ３１２が内部に設置される略円筒形形状のＬＥＤ設置用孔部３１５と、静電気を落とすためのグランドパターン３１７とが設けられている。静電容量スイッチ３１１は、ユーザが各静電容量スイッチ３１１に対応するフロントキャビネット１１に取り付けられた化粧板２１の操作部分２１１（図４参照）を触れることに起因して変化する静電容量を検出することにより、ユーザによる操作を検出するように構成されている。
【００３４】
７つの静電容量スイッチ３１１は、図５に示すように、それぞれ、操作用基板３１の長手方向（Ｘ方向）に所定の間隔を隔てて配置されている。７つの静電容量スイッチ３１１は、それぞれ略矩形形状に形成されている。また、静電容量スイッチ３１１と操作用基板３１の前側（Ｙ１方向側）の表面とは略面一に形成されている。操作用基板３１は、静電容量スイッチ３１１がフロントキャビネット１１の内面に密着するようにフロントキャビネット１１に取り付けられている。なお、ＬＥＤ３１２は、本発明の「発光素子」の一例である。なお、ＬＥＤ設置用孔部３１５は、本発明の「発光素子設置用孔部」の一例である。
【００３５】
また、ＬＥＤ３１２は、図１２に示すように、ＬＥＤ本体部３１２ａと基板取付部３１２ｂとを含んでいる。ＬＥＤ３１２は、ＬＥＤ配置用孔部３１５の内部に配置されている。また、ＬＥＤ３１２は、操作用基板３１のＬＥＤ配置用孔部３１５の内部に設けられるとともに、前方（Ｙ１方向）から見て操作用基板３１のグランドパターン３１７よりも奥まった位置（図１２参照）に配置されている。また、ＬＥＤ３１２は、ＬＥＤ露出用孔４１５から見て操作用基板３１の厚みの略半分の位置に設けられている。また、ＬＥＤ３１２の基板取付部３１２ｂは、操作用基板３１の裏側（Ｙ２方向側）に半田３１６（図１２参照）により取り付けられている。なお、ＬＥＤ本体部３１２ａは、本発明の「発光素子本体部」の一例である。
【００３６】
また、ＬＥＤ配置用孔部３１５の前側（Ｙ１方向側）の開口縁部３１５ａ（図１１参照）には、銅などからなるグランドパターン３１７が設けられている。グランドパターン３１７は、操作用基板３１の開口縁部３１５ａの近傍の表面に設けられている。ＬＥＤ設置用孔部３１５のフロントキャビネット１１側の開口縁部３１５ａは、前方から見て、導光用孔部１１１の操作用基板３１の開口縁部１１１ｂよりも内側に設けられている。グランドパターン３１７は、図１１に示すように、フロントキャビネット１１の前方から見て、フロントキャビネット１１の導光用孔部１１１内に露出するように構成されている。
【００３７】
具体的には、グランドパターン３１７は、フロントキャビネット１１の前方から見て、ＬＥＤ３１２が配置されるＬＥＤ配置用孔部３１５の前側（Ｙ１方向側）の開口縁部３１５ａに沿って周状に設けられている。また、グランドパターン３１７は、フロントキャビネット１１の前方から見て、ＬＥＤ３１２を周状に取り囲むように設けられている。また、グランドパターン３１７は、フロントキャビネット１１の導光用孔部１１１の開口縁部１１１ｂと操作用基板３１のＬＥＤ配置用孔部３１５の前側の開口縁部３１５ａとの間の領域（図１１参照）に設けられている。
【００３８】
また、操作用基板３１に設けられた照度センサ３１３およびＩＲ受光部３１４の周りには、図５に示すように、銅などからなるグランドパターン３１８が設けられている。操作用基板３１のグランドパターン３１７およびグランドパターン３１８は、操作用基板３１周辺に侵入した静電気を逃がす機能を有する。また、グランドパターン３１７とグランドパターン３１８とは図示しない配線パターンにより電気的に接続されている。また、グランドパターン３１８の上側（Ｙ１方向側）には、図６に示すように、静電気を操作用基板３１のグランドパターン３１８からリアフレーム６２１に逃がすための枠状の板金４１が取り付けられている。
【００３９】
枠状の板金４１は、図６に示すように、照度センサ３１３およびＩＲ受光部３１４を露出させるようにグランドパターン３１８に当接するように取り付けられている。また、板金４１には、板金４１の位置決めを行う孔部４１１が設けられている。板金４１の孔部４１１は、フロントキャビネット１１のボス１１４に係合して位置決めされるように構成されている。また、板金４１は、金属製のリアフレーム６２１に接続されるように構成されている。操作用基板３１のグランドパターン３１８に落ちた静電気は、板金４１を介して、大きい面積を有するリアフレーム６２１に到達して放電される。
【００４０】
また、操作用基板３１のＸ２方向の端部には、図５に示すように、切欠部３１９が設けられている。操作用基板３１のＸ１方向側には、板金４１の位置決めに用いられるボス１１４（図３参照）を逃がすための孔部３２０が設けられている。操作用基板３１の短手方向（Ｚ方向）には、フロントキャビネット１１の位置決め部１１５（図３参照）の形状に対応する２つの切欠部３２１が設けられている。操作用基板３１は、図９に示すように、切欠部３１９がフロントキャビネット１１の位置決め部１１２ａに係合されるとともに、切欠部３２１および操作用基板３１の上面側（Ｚ１方向側）がフロントキャビネット１１の位置決め部１１５に係合することにより、フロントキャビネット１１に位置決めされるように構成されている。
【００４１】
なお、操作用基板３１の後面には、図５に示すように、端子３２２と端子３２３とが設けられている。端子３２２は、図示しない配線によって、回路基板６３ａに接続されている。静電容量スイッチ３１１が検出した静電容量変化としての信号は、端子３２２から図示しない配線を介して回路基板６３ａに伝達される。また、端子３２３は、操作用基板３１の静電容量スイッチ３１１を制御するファームウェアを更新するときにパーソナルコンピュータに接続されるように構成されている。この場合、パーソナルコンピュータから端子３２３を介して操作用基板３１に伝送されたファームウェアデータは、操作用基板３１の端子３２２を介して回路基板６３ａに伝送されてファームウェアの更新のために用いられる。
【００４２】
基板固定部材５１は、操作用基板３１をフロントキャビネット１１の内面に固定する機能を有する。基板固定部材５１は、図７および図８に示すように、平面視で操作用基板３１の延びる方向（Ｘ方向）に沿って延びる横長形状に形成されている。基板固定部材５１のテレビジョン装置１の内側（Ｙ１方向側）には、複数のリブ５１１が形成されている。各リブ５１１は、図１３に示すように、それぞれ、略同じ高さを有するように形成されている。また、リブ５１１は、基板固定部材５１と一体的に樹脂成型により形成されている。
【００４３】
各リブ５１１は、図１３に示すように、それぞれ、操作用基板３１の静電容量スイッチ３１１が設けられた側とは反対側の表面をフロントキャビネット１１側（Ｙ１方向側）に向かって押圧するように構成されている。また、各リブ５１１は、図１３に示すように、それぞれ、操作用基板３１の静電容量スイッチ３１１が設けられた側とは反対側の表面の静電容量スイッチ３１１に対応する位置を押圧するように形成されている。また、リブ５１１は、図８に示すように、７つの静電容量スイッチ３１１が隣接する方向（Ｘ方向）に対して、略垂直な方向（Ｚ方向）に延びるように形成されている。また、リブ５１１は、基板固定部材５１のＺ２方向側の端部から、基板固定部材５１のＺ方向の略半分の位置まで延びるように形成されている。
【００４４】
基板固定部材５１のＸ方向の両端部には、図７および図８に示すように、それぞれ、フック５１２が１つずつ設けられている。フック５１２は、基板固定部材５１をフロントキャビネット１１に仮止めするために設けられている。各フック５１２は、取付部１１２および１１３それぞれに設けられたフック係合部１１２ｂおよび１１３ａ（図３参照）に係合するように形成されている。また、基板固定部材５１の長手方向（Ｘ方向）の両端部には、それぞれ、ネジ孔５１３が１つずつ設けられている。各ネジ孔５１３は、図１０に示すように、基板固定部材５１がフック５１２により取付部１１２および１１３に仮止めされた状態で、取付部１１２および１１３のそれぞれのネジ孔１１２ｃおよび１１３ｂ（図９参照）に対応する位置に形成されている。基板固定部材５１は、ネジ孔５１３を介して、ネジ５１３ｂによりフロントキャビネット１１に固定されるように構成されている。また、基板固定部材５１には、切欠５１４および孔部５１５が形成されている。切欠５１４は、操作用基板３１に設けられた端子４２２をテレビジョン装置１の後方側（Ｙ２方向側）に露出させるために設けられている。孔部５１５は、操作用基板３１に設けられた端子３２３をテレビジョン装置１の後方側（Ｙ２方向側）に露出させるために設けられている。
【００４５】
表示部６２は、図２に示すように、フロントキャビネット１１の後側（Ｙ２方向側）に配置されてフロントキャビネット１１に固定されている。また、表示部６２は、前側（Ｙ１方向側）の画面にテレビジョン放送の映像を表示するように構成さている。また、表示部６２は、後側（Ｙ２方向側）の面にリアフレーム６２１を有している。リアフレーム６２１は、金属（たとえば、ＳＥＣＣ（電気亜鉛めっき鋼板）からなる板金製）で形成されている。また、リアフレーム６２１には、信号処理用の回路基板６３ａおよび電源生成用の回路基板６３ｂを取り付けるためのネジ穴６２１ａと、スタンド取付部材６４を取り付けるためのネジ穴６２１ｂと、カバー部材６５を取り付けるためのネジ穴６２１ｃとが設けられている。
【００４６】
回路基板６３ａおよび６３ｂは、図２に示すように、表示部６２の後側（Ｙ２方向側）に配置されて表示部６２のリアフレーム６２１に固定されている。また、回路基板６３ａおよび６３ｂは、ネジ挿入穴６３１を介してリアフレーム６２１のネジ穴６２１ａにネジ６３２により取り付けられている。また、回路基板６３ａおよび６３ｂは、図示しない配線によりそれぞれ表示部６２に接続されている。また、回路基板６３ａは、テレビジョン放送を受信可能な受信部（チューナ）６３３を含んでいる。
【００４７】
スタンド取付部材６４は、図２に示すように、表示部６２の後側（Ｙ２方向側）に配置されて表示部６２のリアフレーム６２１に固定されている。このスタンド取付部材６４には、ネジ挿入穴６４８ａおよび６４８ｂとが設けられている。また、スタンド取付部材６４は、ポリスチレン等の樹脂で一体成型されている。スタンド取付部材６４は、表示部６２に取り付けられた回路基板６３ａおよび６３ｂの下側（Ｚ２方向側）を覆う立壁状に形成されている。また、スタンド取付部材６４は、ネジ挿入穴６４８ａを介してリアフレーム６２１のネジ穴６２１ｂにネジ６４９により取り付けられている。また、スタンド取付部材６４は、ネジ挿入穴６４８ｂを介してリアフレーム６２１のネジ穴６２１ｂにネジ６５２により取り付けられている。
【００４８】
カバー部材６５は、図２に示すように、表示部６２の後側（Ｙ２方向側）に配置されて表示部６２のリアフレーム６２１およびフロントキャビネット１１に固定されている。また、カバー部材６５は、表示部６２に取り付けられた回路基板６３の上側（Ｚ１方向側）、左右（Ｘ方向）および後側（Ｙ２方向側）が外部に露出しないように形成されている。つまり、カバー部材６５は、スタンド取付部材６４とともに、表示部６２に取り付けられた回路基板６３ａおよび６３ｂを覆うように構成されている。また、カバー部材６５は、表示部６２のリアフレーム６２１の後側（Ｙ２方向側）の一部を覆うように形成されている。また、カバー部材６５は、ネジ挿入穴６５１を有している。また、カバー部材６５は、ネジ挿入穴６５１を介してリアフレーム６２１のネジ穴６２１ａ〜６２１ｃにネジ６５２により取り付けられている。
【００４９】
スタンド部材７１は、表示装置本体６１を支持するように構成されている。また、スタンド部材７１は、図２に示すように、スタンド取付部材６４の下側（Ｚ２方向側）に配置され、ネジ挿入孔７１１を介して、ネジ７１２によりスタンド取付部材６４に取り付けられるように構成されている。
【００５０】
次に、図９、図１０、図１２、および、図１３を参照して操作用基板３１および基板固定部材５１の取付手順について説明する。まず、図９に示すように、操作用基板３１をフロントキャビネット１１に設けられた２つの取付部１１２および１１３の間に配置し、フロントキャビネット１１の内側（Ｙ２方向側）に設置する。この際、操作用基板３１の切欠部３１９をフロントキャビネット１１の位置決め部１１２ａに係合して操作用基板３１の位置決めを行う。操作用基板３１の切欠部３２１および操作用基板３１の上面側（Ｚ１方向側）をフロントキャビネット１１の位置決め部１１５に係合させて操作用基板３１の位置決めを行う。この状態で、図１０に示すように、基板固定部材５１を操作用基板３１のフロントキャビネット１１の内側（Ｙ２方向側）からフロントキャビネット１１に設けられた２つの取付部１１２および１１３の間に設置する。そして、基板固定部材５１をフロントキャビネット１１の前側方向（Ｙ１方向）に押しこんで、基板固定部材５１の仮止め用の２つのフック５１２とフロントキャビネット１１のフック係合部１１２ｂおよび１１３ａとを係合させて基板固定部材５１をフロントキャビネット１１の取付部１１２および１１３に仮止めする。この状態で、基板固定部材５１をネジ５１３ｂによってフロントキャビネット１１の取付部１１２および１１３に固定する。また、図１２および図１３に示すように、操作用基板３１を、操作用基板３１のグランドパターン３１７がフロントキャビネット１１の導光用孔部１１１の操作用基板３１側の開口縁部１１１ｂに隙間なく当接するように設置する。
【００５１】
本実施形態では、上記のように、操作用基板３１に取り付けられ、前方から見て操作用基板３１のグランドパターン３１７よりも奥まった位置に配置されたＬＥＤ３１２を設けることによって、フロントキャビネット１１の導光用孔部１１１から侵入する静電気を、ＬＥＤ３１２に到達する前にＬＥＤ３１２の前方に設けられたグランドパターン３１７に直接落とす（除去する）ことができる。これにより、グランドパターン３１７を有する操作用基板３１とは別に静電気対策用の専用の部材を設けることなく、静電気が光源としてのＬＥＤ３１２に到達することを抑制することができる。
【００５２】
本実施形態では、上記のように、グランドパターン３１７を、前方から見て、フロントキャビネット１１の導光用孔部１１１内に露出するように操作用基板３１の表面に設けることによって、導光用孔部１１１を介して侵入する静電気を容易に直接グランドパターン３１７に落とす（除去する）ことができる。
【００５３】
本実施形態では、上記のように、フロントキャビネット１１の導光用孔部１１１内に露出されたグランドパターン３１７を、前方から見て、ＬＥＤ３１２を周状に取り囲むように操作用基板３１の表面に設けることによって、ＬＥＤ３１２の周囲のどの方向から静電気が侵入したとしても、ＬＥＤ３１２を周状に取り囲むように設けられたグランドパターン３１７により静電気を落とす（除去する）ことができるので、静電気が光源としてのＬＥＤ３１２に到達することを効果的に抑制することができる。
【００５４】
本実施形態では、上記のように、操作用基板３１のグランドパターン３１７がフロントキャビネット１１の導光用孔部１１１の操作用基板３１側の開口縁部３１５ａに隙間なく当接するように、操作用基板３１をフロントキャビネット１１に取り付けることによって、静電気が操作用基板３１のグランドパターン３１７とフロントキャビネット１１の導光用孔部１１１の操作用基板３１側の開口縁部３１５ａとの隙間からテレビジョン装置１内部に侵入するのを防止することができるので、より効果的に静電気がＬＥＤ３１２に到達することを抑制することができる。
【００５５】
本実施形態では、上記のように、ＬＥＤ３１２が配置されるＬＥＤ配置用孔部３１５を操作用基板３１に設け、ＬＥＤ配置用孔部３１５の開口縁部３１５ａ近傍の表面には、ＬＥＤ配置用孔部３１５の開口縁部３１５ａに沿って周状にグランドパターン３１７を設け、ＬＥＤ３１２を、操作用基板３１のＬＥＤ配置用孔部３１５の内部で、かつ、前方から見て操作用基板３１のグランドパターン３１７よりも奥まった位置に配置することによって、開口縁部３１５ａに沿って周状にグランドパターン３１７が設けられたＬＥＤ配置用孔部３１５の内部にＬＥＤ３１２を配置するだけで、容易にグランドパターン３１７よりも奥まった位置にＬＥＤ３１２を配置することができる。
【００５６】
本実施形態では、上記のように、ＬＥＤ配置用孔部３１５のフロントキャビネット１１側の開口縁部３１５ａを、前方から見て導光用孔部１１１の操作用基板３１側の開口縁部１１１ｂよりも内側に設け、ＬＥＤ配置用孔部３１５のフロントキャビネット１１側の開口縁部３１５ａと導光用孔部１１１の操作用基板３１側の開口縁部１１１ｂとの間の領域における操作用基板３１の表面には、グランドパターン３１７を設けることによって、導光用孔部１１１の操作用基板３１側の開口縁部１１１ｂと、ＬＥＤ配置用孔部３１５のフロントキャビネット１１側の開口縁部３１５ａとの開口縁部の大きさの違いを利用して、操作用基板３１のＬＥＤ配置用孔部３１５の開口縁部３１５ａに沿った周状のグランドパターン３１７を容易に露出させて形成することができる。
【００５７】
本実施形態では、上記のように、ＬＥＤ３１２は、ＬＥＤ本体部３１２ａと基板取付部３１２ｂとを有し、ＬＥＤ本体部３１２ａがＬＥＤ配置用孔部３１５に配置された状態で、ＬＥＤ３１２の基板取付部３１２ｂを操作用基板３１のフロントキャビネット１１とは反対側の面に取り付けることによって、ＬＥＤ３１２の基板取付部３１２ｂを操作用基板３１のフロントキャビネット１１とは反対側の面に取り付けるだけで、容易に、ＬＥＤ３１２を操作用基板３１のＬＥＤ配置用孔部３１５の内部で、かつ、操作用基板３１のグランドパターン３１７よりも奥まった位置に配置することができる。
【００５８】
本実施形態では、上記のように、フロントキャビネット１１の導光用孔部１１１は、略円錐台形状を有しており、略円錐台形状の導光用孔部１１１の小さい方の開口縁部１１１ｂを操作用基板３１に当接するとともに、略円錐台形状の導光用孔部１１１の小さい方の開口縁部１１１ｂの内側に操作用基板３１のグランドパターン３１７を露出することによって、静電気の侵入経路となる導光用孔部１１１が静電気の侵入方向に沿って徐々に小さくなるので、静電気が到達する領域を絞り込むことができる。その結果、小さいグランドパターン３１７でも静電気を効率よく落とすことができる。
【００５９】
本実施形態では、上記のように、フロントキャビネット１１は、フロントキャビネット１１の外面側の導光用孔部１１１の開口縁部１１１ａよりも小さい内径の開口縁部を有する化粧板孔部２１１を形成した化粧板２１を含み、化粧板孔部２１１がフロントキャビネット１１の導光用孔部１１１に重なるように、化粧板２１をフロントキャビネット１１の前側に取り付けられている。このように構成すれば、化粧板２１がフロントキャビネット１１の前側に対して位置ずれした状態で取り付けられた場合でも、化粧板孔部２１１と導光用孔部１１１とが互いに重なる位置に配置されやすくなるので、容易に化粧板孔部２１１を介して外部に光を放出することができる。
【００６０】
本実施形態では、上記のように、表示部６１の後側には、金属製のリアフレーム６２１を設け、グランドパターン３１７を、リアフレーム６１２に電気的に接続することによって、操作用基板３１のグランドパターン３１７に落ちた静電気を大きい面積を有するリアフレーム６１２に逃がして静電気が操作用基板３１に残留するのを防止することができる。
【００６１】
本実施形態では、上記のように、操作用基板３１に配置されたＬＥＤ３１２の近傍には、複数の静電容量スイッチ３１１を設け、前方から見て、ＬＥＤ３１２およびグランドパターン３１７を露出させるとともに静電容量スイッチ３１１を露出させないフロントキャビネット１１の位置に導光用孔部１１１を設けることによって、操作用基板３１に配置されたＬＥＤ３１２の近傍に静電容量スイッチ３１１を設けた場合でも、導光用孔部１１１を介して侵入する静電気がグランドパターン３１７に落とされて直接静電容量スイッチ３１１に到達することを抑制することができる。このように本実施形態では、操作用基板３１の前方にアース板等を設けることなく、ＬＥＤ３１２および静電容量スイッチ３１１に静電気が到達するのを抑制することができるので、静電容量スイッチを３１１をフロントキャビネット１１の内面に直接当接させることができ、その結果、静電容量スイッチ３１１を適切に動作させることができる。
【００６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６３】
たとえば、上記実施形態では、本発明をテレビジョン装置に適用する例を示したが、本発明はこれに限られない。テレビジョン装置以外の表示装置に本発明を適用してもよい。たとえば、ＰＣ（パーソナルコンピュータ）のディスプレイ等に本発明を適用してもよい。
【００６４】
また、上記実施形態では、本発明の発光素子としてのＬＥＤを、前側から見て操作用基板の厚みの略半分の位置に設けた例を示したが、本発明はこれに限られない。本発明では、グランドパターンよりも奥まった位置であれば、発光素子を基板の厚みの略半分の位置以外の位置に設けてもよい。
【００６５】
また、上記実施形態では、本発明の発光素子としてのＬＥＤを、本発明の発光素子配置用孔部としてのＬＥＤ設置用孔部の内部に設けた例を示したが、本発明はこれに限られない。本発明では、グランドパターンより奥まった位置であれば発光素子を切欠の内部に設けてもよい。
【００６６】
また、上記実施形態では、本発明の発光素子の基板取付部を、半田により操作用基板に取り付ける例を示したが、本発明はこれに限られない。本発明では、半田以外の、たとえば、接着剤等で基板取付部を基板に取り付けてもよい。
【００６７】
また、上記実施形態では、基板固定部材により操作用基板をフロントキャビネットに固定する例を示したが、本発明はこれに限られない。基板固定部材以外の、たとえば、両面テープ等で前側筺体に固定してもよい。
【００６８】
また、上記実施形態では、導光用孔部を略円錐台形状に形成した例を示したが、本発明はこれに限られない。本発明では、円錐台形状以外の形状に形成してもよい。この場合、奥に向かって先細り形状に形成された形状が好ましい。このように構成すれば、静電気の侵入経路となる導光用孔部が静電気の侵入方向に沿って徐々に小さくなるので、静電気が到達する領域を絞り込むことができる。その結果、小さいグランドパターンでも静電気を効率よく落とすことができる。
【００６９】
また、上記実施形態では、操作用基板に静電容量スイッチを設けた例を示したが、本発明はこれに限られない。本発明では、操作用基板に静電容量スイッチ以外の電子部品を設けてもよい。
【００７０】
また、上記実施形態では、静電容量スイッチに対応する操作部分を、フロントキャビネットに取り付けられる化粧板に設けた例を示したが、本発明はこれに限られない。本発明では、化粧板を設けずに、静電容量スイッチに対応する操作部分を、前側筺体に直接設けてもよい。
【符号の説明】
【００７１】
１  テレビジョン装置（表示装置）
１１  フロントキャビネット（前側筺体）
２１  化粧板
３１  操作用基板
６２  表示部
１１１  導光用孔部
１１１ｂ  開口縁部
２１２  化粧板孔部
３１１  静電容量スイッチ
３１２  ＬＥＤ（発光素子）
３１２ａ  ＬＥＤ本体部（発光素子本体部）
３１２ｂ  基板取付部
３１５  ＬＥＤ設置用孔部（発光素子設置用孔部）
３１５ａ  開口縁部
３１７  グランドパターン
６２１  リアフレーム
６３３  受信部（チューナ）
【図１】
2013090111.tif 000003
【図２】
2013090111.tif 000004
【図３】
2013090111.tif 000005
【図４】
2013090111.tif 000006
【図５】
2013090111.tif 000007
【図６】
2013090111.tif 000008
【図７】
2013090111.tif 000009
【図８】
2013090111.tif 000010
【図９】
2013090111.tif 000011
【図１０】
2013090111.tif 000012
【図１１】
2013090111.tif 000013
【図１２】
2013090111.tif 000014
【図１３】
2013090111.tif 000015